(57)【特許請求の範囲】
【請求項１】
標識柱本体表面に付着した付着物を振り払う払拭部材が、標識柱本体の周囲に揺動自在に垂れ下がるように設けられた標識柱において、
前記払拭部材は、
複数の孔を有するシート状部材と、
前記孔にそれぞれ固定された、光を反射する複数の反射部材と、
を備えており、
前記反射部材は、シート状部材の裏側の表面よりも標識柱本体表面に向かって突出するように、前記孔に固定されていることを特徴とする標識柱。
【請求項２】
前記反射部材は、前記シート状部材に比べて、質量密度が大きくかつ硬度が大きいことを特徴とする請求項１に記載の標識柱。
【発明の詳細な説明】
【技術分野】
【０００１】
本発明は、道路等に設置される標識柱に関するものである。
【背景技術】
【０００２】
従来、道路のセンターライン，車線変更線又は分離帯等には、車両の運転者や歩行者に車線や歩道を識別させる等の目的で標識柱が設置されている。そして、標識柱においては、標識柱本体の表面に付着した埃などを振り払う払拭部材を備えたものが知られている。
【０００３】
このような払拭部材を標識柱に設ければ、標識柱本体の汚れの促進を抑制することができる。しかしながら、標識柱本体の周囲に払拭部材が垂れ下がるように設けられるため、払拭部材自体が標識柱本体を見にくくしてしまう原因になる。特に、標識柱本体の外周面に反射シートが貼り付けられた標識柱においては、払拭部材が反射シートによる光の反射を妨げてしまう原因になる。
【０００４】
また、雨粒などの水滴が標識柱本体に付着すると、払拭部材が標識柱本体表面に張り付いてしまい、払拭部材による付着物を振り払う機能が働かなくなってしまうこともある。
【０００５】
なお、関連する技術としては、特許文献１〜１３に開示されたものがある。
【特許文献１】特許第２５８１４２２号公報
【特許文献２】特許第２８３１５６０号公報
【特許文献３】特開平９−３８３７号公報
【特許文献４】特開平７−１５０５２６号公報
【特許文献５】特開２００２−６１１２８号公報
【特許文献６】特開平７−２６８８１９号公報
【特許文献７】特開平１０−１８２４０号公報
【特許文献８】特開平１０−１８２４４号公報
【特許文献９】特開平１０−３０２１４号公報
【特許文献１０】特開平１０−４６５３２号公報
【特許文献１１】特開平１１−３６２４１号公報
【特許文献１２】特開２００２−１０５９１６号公報
【特許文献１３】特開２００２−１１５２１８号公報
【発明の開示】
【発明が解決しようとする課題】
【０００６】
本発明の目的は、払拭機能を安定的に発揮させつつ、視認性の向上を図った標識柱を提供することにある。
【課題を解決するための手段】
【０００７】
本発明は、上記課題を解決するために以下の手段を採用した。
【０００８】
すなわち、本発明の標識柱は、標識柱本体表面に付着した付着物を振り払う払拭部材が、標識柱本体の周囲に揺動自在に垂れ下がるように設けられた標識柱において、
前記払拭部材は、
複数の孔を有するシート状部材と、
前記孔にそれぞれ固定された、光を反射する複数の反射部材と、
を備えており、
前記反射部材は、シート状部材の裏側の表面よりも標識柱本体表面に向かって突出する
ように、前記孔に固定されていることを特徴とする。
【０００９】
本発明によれば、標識柱本体の周囲に垂れ下がるように設けられた払拭部材自体に反射部材が備えられているので、反射機能が十分に発揮される。また、反射部材がシート状部材の裏側の表面よりも標識柱本体表面に向かって突出しているので、払拭部材が標識柱本体に張り付いてしまうことを抑制できる。また、反射部材自体によって、標識柱本体表面に付着した付着物を振り払うことも可能となり、払拭機能をより高めることができる。
【００１０】
前記反射部材は、前記シート状部材に比べて、質量密度が大きくかつ硬度が大きいとよい。
【００１１】
これにより、反射部材がシート状部材に対して揺れ動き易くなることと、シート状部材よりも硬いことと相俟って、反射部材自体による付着物を振り払う機能をより高めることができる。
【発明の効果】
【００１２】
以上説明したように、本発明によれば、払拭機能を安定的に発揮させつつ、視認性の向上を図ることができる。
【発明を実施するための最良の形態】
【００１３】
以下に図面を参照して、この発明を実施するための最良の形態を、実施例に基づいて例示的に詳しく説明する。ただし、この実施例に記載されている構成部品の寸法、材質、形状、その相対配置などは、特に特定的な記載がない限りは、この発明の範囲をそれらのみに限定する趣旨のものではない。
【００１４】
（実施例）
＜標識柱＞
図１を参照して、本発明の実施例に係る標識柱全体の構成について説明する。図１は本発明の実施例に係る標識柱の正面図である。
【００１５】
標識柱１００は、円筒形状の標識柱本体１０と、標識柱本体１０を支える台座２０と、標識柱本体１０の表面に付着した付着物（埃，塵，排気ガスに含まれる粒子など）を振り払うための払拭ユニット３０とを備えている。
【００１６】
標識柱本体１０の外周面には、夜間の視認性を高めるために、光を反射する反射シート１１が貼り付けられている。本実施例では、標識柱本体１０の高さ方向に対して３箇所に、反射シート１１が貼り付けられている。
【００１７】
払拭ユニット３０は、標識柱本体１０の上端に装着される有底筒状部材３１と、複数の払拭部材３２とを備えている。各払拭部材３２は、一端が有底筒状部材３１の開口端部付近に固定され、他端は自由端となっている。これにより、払拭部材３２は、標識柱本体１０の周囲で揺動自在に垂れ下がっている。そして、自然の風や、車両が通過することにより発生する風圧によって、払拭部材３２は揺れ動く。すると、払拭部材３２が標識柱本体１０の表面を擦り、標識柱本体１０の表面に付着した付着物は払拭部材３２によって振り払われる。
【００１８】
＜払拭部材＞
特に、図２及び図３を参照して、払拭部材３２について更に詳しく説明する。図２は本発明の実施例に係る払拭部材の外観図である。なお、図２（Ａ）は側面図であり、図２（Ｂ）は裏面（標識柱本体に対向する側の面）図である。図３は本発明の実施例に係る払拭
部材と標識柱本体との位置関係を示す図である。なお、図３には、一つの払拭部材のみを示し、かつ、払拭部材については断面にて示している。
【００１９】
払拭部材３２は、透明のシート状部材３３と、光を反射する複数の反射部材３４とから構成されている。シート状部材３３には複数の孔３３１が設けられている。そして、これらの孔３３１にそれぞれ反射部材３４が埋め込まれるようにして固定されている。
【００２０】
シート状部材３３は、揺動自在かつ付着物を振り払うことができるように、適度の硬度を有する柔軟性を有する材料により構成される。このシート状部材３３の材料の好適例としては、硬さＡ８０（ＪＩＳＫ  ７２１５  プラスチックのデュロメータ硬さ試験方法に準じ、タイプＡデュロメータ試験機にて測定）のアクリルを挙げることができる。
【００２１】
反射部材３４は、少なくとも表面（標識柱本体に対向する面の反対の面）側から入射した光を反射する機能を備えている。また、反射部材３４は、シート状部材３３に比べて、質量密度が大きくかつ硬度が大きな材料により構成されている。この反射部材３４の好適例としては、硬質樹脂やガラスにより構成されたキャッツアイや反射球を挙げることができる。
【００２２】
そして、反射部材３４は、シート状部材３３の裏側（標識柱本体に対向する側）の表面よりも標識柱本体１０の表面側に向かって突出するように、シート状部材３３に設けられた孔３３１に固定されている（図３参照）。
【００２３】
また、本実施例においては、反射部材３４を、高さ方向に対して２列かつ平行となるように、それぞれ等間隔に並べている。また、本実施例では、反射部材３４の形状を円柱形状としている。
【００２４】
＜本実施例の優れた点＞
本実施例に係る標識柱１００によれば、標識柱本体１０の周囲に垂れ下がるように設けられた払拭部材３２自体に反射部材３４が備えられているので、反射機能が十分に発揮される。また、払拭部材３２を構成するシート状部材３３は透明であるので、標識柱本体１０に貼り付けられた反射シート１１による反射機能もそれほど妨げることはない。
【００２５】
また、本実施例においては、反射部材３４がシート状部材３３の裏側の表面よりも標識柱本体１０の表面に向かって突出している。これにより、以下の効果が発揮される。
【００２６】
第一に、図３に示すように、反射部材３４のみが標識柱本体１０の表面に接触し、シート状部材３３が標識柱本体１０の表面に接触することを抑制することができる。これにより、シート状部材３３と標識柱本体１０の表面との間には隙間Ｓが形成され、この隙間Ｓに風などが入り込む。従って、標識柱本体１０の表面に水滴などが付いていても、払拭部材３２が標識柱本体１０に張り付いてしまうことを抑制できる。そのため、降雨時においても、払拭部材３２による払拭機能を安定的に発揮させることができる。
【００２７】
第二に、反射部材３４自体によっても、標識柱本体１０の表面に付着した付着物を振り払うことが可能となる。従って、払拭機能をより高めることができる。つまり、払拭部材が標識柱本体の表面を擦る際においては、払拭部材の端縁のエッジの部分が主として前記表面に付着した付着物を振り払い、払拭部材における面の部分ではそれほど付着物を振り払うことはできない。本実施例では、反射部材３４が標識柱本体１０の表面側に突出しているため、反射部材３４自体によっても付着物を振り払うことができる。特に、本実施例では、反射部材３４が円柱形状であることから平面部分と曲面部分との境界部がエッジとなり、付着物を効果的に振り払うことができる。
【００２８】
また、本実施例では、反射部材３４は、シート状部材３３に比べて、質量密度が大きくかつ硬度が大きくなるようにしている。これにより、反射部材３４がシート状部材３３に対して揺れ動き易くなることと、シート状部材３３よりも硬いことと相俟って、反射部材３４自体による付着物を振り払う機能をより高めることができる。
【００２９】
＜反射部材の配列と形状の具体例＞
上記の例においては、円柱形状の反射部材を２列平行に並べる場合を示したが、反射部材の配列や形状は、様々な態様を適宜選択することができる。反射部材の配列は、主として反射部材によって付着物を振り払う範囲に影響し、反射部材の形状は、主として反射部材自体による付着物を振り払う機能に影響する。
【００３０】
以下、反射部材の配列と形状の具体例について、図４〜図６を参照して説明する。図４〜図６は本発明の実施例に係る払拭部材の配列と形状の具体例を示す外観図である。なお、各図において、（Ａ）は側面図であり、（Ｂ）は裏面（標識柱本体に対向する側の面）図である。
【００３１】
図４に示す払拭部材３２ａにおいては、反射部材３４ａの配列は、上記払拭部材３２の場合と同一である。この払拭部材３２ａの場合には、反射部材３４ａの形状を直方体としている点が、上記払拭部材３２と異なっている。この払拭部材３２ａの場合には、上記払拭部材３２と同様の効果を得ることができる。
【００３２】
図５に示す払拭部材３２ｂにおいては、反射部材３４ｂを３列平行に並べている。また、反射部材３４ｂの形状を球としている。この払拭部材３２ｂの場合には、反射部材３４ｂの形状が球であるため、エッジがないことから、付着物を振り払う効果は、形状が円柱や直方体の場合に比べて若干劣ると考えられる。ただし、シート状部材に設けられた孔に反射部材を位置決め固定する場合の作業性に関しては、円柱や直方体の場合に比べて球のほうが優れている。
【００３３】
図６に示す払拭部材３２ｃにおいては、反射部材３４ｃを高さ方向に３列平行に並べ、かつ、横方向に対して斜めに並ぶように配置している。このように、反射部材３４ｃを横方向に対して斜めに並ぶように配置したことで、反射部材３４ｃが配列された範囲において、高さ方向及び横方向の範囲内で、反射部材３４ｃが存在していない範囲をなくすことができる。こうすることで、払拭部材３２ｃが標識柱本体の表面を擦る際に、反射部材３４ｃにより擦られる範囲を大きくすることができる。従って、より払拭機能を高めることができる。
【００３４】
以上のように、反射部材の配列や形状は、様々な態様を適宜選択することができる。従って、図２，４〜６に示したものに限られず、反射部材の列の数や並び方向も色々と選択することができるし、反射部材の形状についても、楕円球や多角形体などを適宜選択することもできる。図６に示す払拭部材３２ｃにおいて、図４に示した直方体の反射部材３４ａを適用することも好適である。
【図面の簡単な説明】
【００３５】
【図１】図１は本発明の実施例に係る標識柱の正面図である。
【図２】図２は本発明の実施例に係る払拭部材の外観図である。
【図３】図３は本発明の実施例に係る払拭部材と標識柱本体との位置関係を示す図である。
【図４】図４は本発明の実施例に係る払拭部材の配列と形状の具体例を示す外観図である。
【図５】図５は本発明の実施例に係る払拭部材の配列と形状の具体例を示す外観図である。
【図６】図６は本発明の実施例に係る払拭部材の配列と形状の具体例を示す外観図である。
【符号の説明】
【００３６】
１０  標識柱本体
１１  反射シート
２０  台座
３０  払拭ユニット
３１  有底筒状部材
３２，３２ａ，３２ｂ，３２ｃ  払拭部材
３３  シート状部材
３４，３４ａ，３４ｂ，３４ｃ  反射部材
１００  標識柱
３３１  孔
Ｓ  隙間
【図１】
0004835260.tif 000002
【図２】
0004835260.tif 000003
【図３】
0004835260.tif 000004
【図４】
0004835260.tif 000005
【図５】
0004835260.tif 000006
【図６】
0004835260.tif 000007